(57)【要約】【課題】本考案は、便秘の為、糞便が直腸に滞留し、充満し、糞便塊となり、固く、大きすぎて、肛門から、自然排泄が困難な状態となり、目を白黒に、させて、額に脂汗を流し、溜息をついて、拱手し、為すところ知らずと言う状態の時、【解決手段】其の解決方法として、注射器に似た此の使い捨て便秘治療器を使用すれば、難問解決と、言う事になる。此の使い捨て便秘治療器の外筒の嘴形状の先端部を、肛門に挿入し、（注射器に例えると）外筒を鍔際まで挿入し、次は、内筒を廻しながら、押し込み、後は、其の使い捨て便秘治療器を、肛門から抜き去れば、一件落着となる。それ程、煩わされる事も無く、周りを汚す事も無く、ワン、ツー、スリーの３動作で、便秘は解消される。【選択図】    図６
0003140295.tif 000002
【実用新案登録請求の範囲】
【請求項１】
プラスチック等の化学材質で作り、注射器同様、外筒と内筒で構成される便秘治療器で、外筒の先端部は、肛門への挿入を容易にする為、次第に細くする、目的で、先端部を花弁状に裂き、花弁が開き、且つ閉じる様にし、其の先を、更に、細く、すぼまった形にする為に、嘴形状の物を、人間の体熱で溶ける剤質で作り、外筒の、先端部に取り付け、肛門に挿入した後、内筒の先端部を、糞便が充満した直腸内に、手動で押し込み、内筒の先端部で、糞便を円筒形に切り取り、トンネル形状にしながら、糞便を採取して、内筒の中に収納する、使い捨て、便秘治療器。
【請求項２】
プラスチック等の化学材質で作り、注射器同様、外筒と内筒で構成される便秘治療器で、外筒の先端部は、肛門への挿入を容易にする為、次第に細くする、目的で、先端部を花弁状に裂き、花弁が開き、且つ閉じる様にし、其の先を、更に、細く、すぼまった形にする為に、嘴形状の物を、人間の体熱で溶ける剤質で作り、外筒の、先端部に取り付け、肛門の中に挿入した後、嘴形状の物が
溶ける迄、待ち、内筒の先端部には、換気扇に似た、手動式小型プロペラ、を取り付け、其の内筒を、便秘の糞便が充満した直腸内に、手動で回転させながら、押し込み、先端部のプロペラ形状の刃で、糞便を円筒形に切り取り、トンネル形状にしながら糞便を採取して、内筒の中に収納する、使い捨て、便秘治療器。
【請求項３】
プラスチック等の化学材質で作り、肛門に挿入され、糞便採取、収納容器の、二役を兼ねる筒の先端部には、肛門への挿入を容易にする為、先端部が次第に、細く、すぼまった嘴形状にした物を、人間の体熱で溶ける剤質で作り、筒の、先端部に、取り付けた、使い捨て、単筒型便秘治療器。
【考案の詳細な説明】
【技術分野】
【０００１】
便秘の重症型で、大き過ぎて肛門からの自然排泄が、困難な糞便塊除去に、使用する、使い捨て便秘治療器。
【背景技術】
【０００２】
従来の便秘治療は、直腸内から糞便を採取し除去する目的の器具は、存在せず、イチジクの成分の入った薬液を、小さい球形のビニール容器の中に入れ、其の容器の注入口としての、嘴形状の小突起を肛門に挿入し、直腸内に薬液を注入し、滞留する糞便の自然排泄が、容易になる様、考案されたものである。
【考案の開示】
【考案が解決しようとする課題】
【０００３】
薬液で自然排泄を容易にする便秘治療法は、薬液の効果が、固い糞便塊を砕き、溶解する作用が速効性ではなく、時間がかかり、自然排泄が困難な場合が多く、便秘者は排便に苦しんでいる現状である。
【課題を解決するための手段】
【０００４】
本考案は、薬液を使用しても尚且つ排便困難な糞便塊を、薬液に頼らず、直接排除する器具を考案した。其の器具の仕組みを理解する早道は、規模こそ違うものの、地層地質の調査の為に地中にパイプを打ち込み、地下の幾層もの地質、土質を貫通し打ち込まれたパイプを外筒とし、パイプ状の土砂、採取用内筒を、
外筒の中に入れて打ち込み、其の内筒の中に、土砂を採取収容し、その内筒を、地上に引き上げ、其の内部に採取収納された採取土砂を土質調査の為の資料に、する方法を、参考にした便秘治療器だと、理解すれば判りは早い。
【考案の効果】
【０００５】
便秘で直腸に滞留する糞便塊を除去する器具は、注射器同様、外筒と内筒で、構成され、プラスチック等の化学材質で作る。  注射器に例えると判り易いので、注射器に例える。  注射器の場合、外筒と内筒は長さが、殆ど同じだが、
此の便秘治療器の場合、外筒は、非常に短く、人間の肛門の括約筋の奥行きの深さより、少し長い位だから５〜６ｃｍ位である。  太さ、つまり、円筒形の外筒の直径は、肛門に、挿入可能な大きさと言う事になるし、肛門から排出される糞便の直径よりも、やや細くする。  外筒の両側の一端は、注射器同様、鍔付きである。鍔は注射器の鍔より大きめが良い。鍔の、まん中は注射器同様、内筒が挿入される入り口なので、内筒の直径より、微かに大きな口径の、穴が開いている。他の一端（注射器に例えると針が付いている先端側）は、花の蕾状に閉塞されていて、花が開く様に、開く構造に、なっている。自力での開閉ではなく、外筒の中に挿入される内筒、によって、押し開かれる仕組みになっている。注射針に相当する先端部分は、肛門に挿入し易い形で、其の形は、先端部が次第に細く、すぼまった嘴形状の物を、人間の体熱で溶ける剤質（例えば、チョコレート）で造り、先端に取り付ける。鍔状部分を除き、外筒全体に潤滑剤を塗り、肛門に、挿入し易い様にする。外筒の先端部は、体熱で溶ける剤質で作られているので、冷蔵庫の中に保管し、使用直前に取り出す。
【０００６】
内筒は、直腸の中に挿入するので、長さは、ほぼ、直腸の長さにする。注射器の場合は、内筒の両端共、閉塞されているが、此の内筒は、化学実験用器具の、雌シリンダーの形状で、ガラスの試験管に例えて説明すると、片側の球形で、閉塞されている側は、球形ではなく平坦で、円形の広い台が付いている。
台の近くの、内筒の側面に、空気穴を、４〜5個、開ける。  閉塞されてない側の、先端の縁は、其の侭、縁（ふち）だけの物と、他に、小型の換気扇状の、プロペラが付いている物がある。プロペラは、手動式で、内筒を手動で、回転させる時に、内筒と共に、回転する構造である。
【０００７】
注射器同様に、内筒を外筒の中に挿入するが、此の便秘治療器の内筒の構造は、上記（０００６）で、説明した様に、雌シリンダー（化学実験用器具）形状である。雌シリンダー形状の、閉塞されてない側を挿入する。閉塞されてない側には、小型の、換気扇状のプロペラ、が付いている物がある。    其の場合も、
プロペラが付いている側を、外筒の、穴の中に挿入する。  挿入された内筒は、外筒の中を前進して、内筒の先端が、外筒の蕾形状の近く迄、到達すると、中が狭まるので、前進する事に少し抵抗感がある場所に到達すると、そこで、
ストップする。これで、使い捨て便秘治療器の完成となる。
【考案を実施するための最良の形態】
【０００８】
最終的には、此の考案を、売り渡す予定の、薬品会社の豊富な知識、経験等で
此の使い捨て、便秘治療器の全て、（太さ、長さ、材質、剤質、構造）を決定して、貰う事が、此の考案を実施する為の最良の形態になると思考する。
【０００９】
便秘で苦しんでいる人の肛門に、便秘治療器の外筒の嘴形状の先端を、挿入する。外筒は全体的に潤滑剤が塗られているので、容易に挿入出来る。しかし、挿入は、鍔状の縁迄で、外筒の鍔状の構造物が前進を阻み、止める様になっているので、外筒の前進は其処で停まる。次に、内筒を強く押し込むと、内筒の先端は、外筒の蕾形状に閉じている花弁状の扉を、内側から押し開き、外筒の蕾形状の先に、突き出た状態となり、更に前進する。前方には、体熱で溶ける剤質の、嘴形状の物が、内筒の先端部から分離し、横たわっている。其の嘴形状の物を、糞便と共に、内筒の中に取り込みながら前に進む。そして外筒の鍔
と内筒の広い台状の鍔が、一つに重なる迄、押し込んだ時が内筒の前進の終点である。後は糞便を一杯詰め込み、収納している内筒を、外筒諸共、肛門から
引き抜き、使い捨て便秘治療器として、処理し、一件落着となる。
【実施例】
【００１０】
内筒の先端に、プロペラが付いている、場合、嘴形状の物が、体熱で溶ける迄、前進を待たなければ、ならない。内筒の先端部は、肛門の括約筋を通り抜けて、直腸の中に突入した状態であり、直腸の内部には、糞便塊が在る。内筒を手動で、回転させながら、（其の時、外筒が内筒と、共に廻らないよう、内筒だけを
回転させる様に気を付けながら）押し込むと、内筒の先端部の、プロペラ形状の刃で、糞便塊を切り取り、円筒形のトンネルを作りつつ、円筒形の形にした糞便を、内筒の中に、採取しながら、取り込み、詰め込み、収納しながら、前に進む。外筒の鍔と、内筒の雌シリンダー状の、広い台が、一つに重なった時、が内筒の前進の終点であり、作業の大半、終了となる。仕上げ作業は糞便を、一杯詰め込み収納した内筒を、外筒諸共、肛門から引き抜き、使い捨て便秘治療器なので、糞便諸共処理し、一件落着となる。
【００１１】
薬液を注射器で注射する場合と同様の、３動作で便秘治療作業は終了する。
注射器は、１で針を人体に刺す  ２でシリンダー（内筒）の薬液を注入する
３注射器の針を抜き取る、  １，２，３の３動作で作業終了となる様に、
便秘治療器は  1、嘴形状の外筒を肛門に挿入する  ２、内筒を押し込み、糞便塊を内筒の中に採取収納する。３、便秘治療器の外筒内筒を肛門から抜き取る。
ワン、ツー、スリーの３動作で済むし、それ程、煩わしく無く、周囲を汚さず、操作が、極めて簡易な、使い捨て、便秘治療器である。
【図面の簡単な説明】
【００１２】
【図１】図１は一見、注射器を連想する形状であり注射器同様、外筒と内筒で、構成される。番号１は内筒で、番号２は外筒である。
【図２】此れは上記の図１が、斜め右側から見た図に対し、其の裏側の斜め左側から見た図である。穴の存在箇所が判る。
【図３】内筒１を外筒２の中に挿入しようとしているところ。
【図４】内筒１の先端部を、外筒２の中に、挿入したところ。
【図５】挿入された内筒１が外筒２の先端部の、花びら状の扉、番号４、を押し、開き、前に突き抜け、直腸内の糞便の中に突入したところ。
【図６】内筒１の中に糞便番号５を、取り込み、収納したところ、外筒の最先端部の、嘴形状の突起番号３も、内筒の中に取り込んでいる姿図
【図７】此れは、内筒の図であるが、其の先端部に、プロペラが付いている。        プロペラは、手同式で、内筒を回すとき、内筒と共に廻る。
【図８】プロペラ付き、内筒の先端部の拡大図
【符号の説明】
【００１３】
１、内筒
２、外筒
３、外筒の先端部（嘴形状である）、
４、花びら状の扉（内筒によって、内部から、押し開けられる）
５、糞便  
６、空気穴（内筒の内部の空気や、ガスを吐き出す為の）
７、プロペラ
８、鍔（まん中に穴が開いていて、刀の鍔に似ている）
９、台（鍔と称するには、まん中に穴が開いてない）
【図１】
0003140295.tif 000003
【図２】
0003140295.tif 000004
【図３】
0003140295.tif 000005
【図４】
0003140295.tif 000006
【図５】
0003140295.tif 000007
【図６】
0003140295.tif 000008
【図７】
0003140295.tif 000009
【図８】
0003140295.tif 000010